(57)【要約】      （修正有）【課題】インスタントフィルム及びフィルムカバーを高速かつ安定的に搬送できるフィルム搬送装置、プリンタ、プリンタ付き撮像装置、及びフィルム搬送方法を提供する。【解決手段】フィルム搬送装置では、インスタントフィルム１０及びフィルムカバー６０の第１の搬送機構から第２の搬送機構への受け渡し後の搬送速度を、少なくとも受け渡しが行われている間の搬送速度よりも速くするので、搬送を高速に行いつつ、インスタントフィルム及びフィルムカバーの受け渡しを確実に行って搬送不良を減らし、安定的に搬送することができる。【選択図】図１０
2019147631.tif 000002
【特許請求の範囲】
【請求項１】
インスタントフィルム及びフィルムカバーを収納する収納部と、
前記収納部に収納された前記インスタントフィルム及び前記フィルムカバーを搬送方向に搬送する搬送部であって、前記インスタントフィルム及び前記フィルムカバーの搬送を開始する第１の搬送機構と、前記第１の搬送機構による搬送に引き続いて前記インスタントフィルム及び前記フィルムカバーを搬送する第２の搬送機構と、を備える搬送部と、
前記搬送部による前記インスタントフィルムの搬送速度と前記フィルムカバーの搬送速度とを制御する搬送制御部と、を備え、
前記搬送制御部は、前記第１の搬送機構及び前記第２の搬送機構を制御して、前記インスタントフィルム及び前記フィルムカバーの前記第１の搬送機構から前記第２の搬送機構への受け渡し後の搬送速度を、少なくとも前記受け渡しが行われている間の搬送速度よりも速くする、
フィルム搬送装置。
【請求項２】
前記第１の搬送機構は前記インスタントフィルム及び前記フィルムカバーの前記搬送方向と反対側の端部に当接して前記搬送方向に移動する移動部材を備え、
前記第２の搬送機構は前記インスタントフィルム及び前記フィルムカバーを挟持して搬送するキャプスタンローラ及びピンチローラを含む請求項１に記載のフィルム搬送装置。
【請求項３】
前記搬送制御部は、前記搬送部を制御して同一の送り位置における前記インスタントフィルムの搬送速度と前記フィルムカバーの搬送速度とを異ならせる請求項１または２に記載のフィルム搬送装置。
【請求項４】
前記搬送制御部は、前記搬送部を制御して同一の送り位置では前記インスタントフィルムの搬送速度を前記フィルムカバーの搬送速度よりも速くする請求項１から３のいずれか１項に記載のフィルム搬送装置。
【請求項５】
前記搬送部は、前記フィルムカバー及び前記インスタントフィルムの素材及び／または厚さに応じた搬送速度で、前記フィルムカバー及び前記インスタントフィルムをそれぞれ搬送する請求項１から４のいずれか１項に記載のフィルム搬送装置。
【請求項６】
請求項１から５のいずれか１項に記載のフィルム搬送装置と、
画像データを入力する画像データ入力部と、
前記フィルム搬送装置による前記インスタントフィルムの前記搬送方向と直交した方向に配置され、前記入力した画像データに基づいて駆動されるラインヘッドと、
前記ラインヘッドによるライン画像の印画を制御する印画制御部と、
を備えるプリンタ。
【請求項７】
請求項６に記載のプリンタと、
前記画像データ入力部として機能する撮像部と、
を備えるプリンタ付き撮像装置。
【請求項８】
インスタントフィルム及びフィルムカバーが収納される収納部と、前記インスタントフィルム及び前記フィルムカバーを搬送する搬送部であって、第１の搬送機構及び第２の搬送機構を有する搬送部と、を備えるフィルム搬送装置のフィルム搬送方法であって、
前記第１の搬送機構により前記インスタントフィルム及び前記フィルムカバーを搬送する第１の搬送工程と、
前記第１の搬送機構による搬送に引き続いて、前記第２の搬送機構により前記インスタントフィルム及び前記フィルムカバーを搬送する第２の搬送工程と、
前記第１及び第２の搬送工程における前記インスタントフィルム及び前記フィルムカバーの搬送速度を制御する搬送制御工程と、を備え、
前記搬送制御工程では、前記第１の搬送機構及び前記第２の搬送機構を制御して、前記インスタントフィルム及び前記フィルムカバーの前記第１の搬送機構から前記第２の搬送機構への受け渡し後の搬送速度を、少なくとも前記受け渡しが行われている間の搬送速度よりも速くする、
フィルム搬送方法。
【発明の詳細な説明】
【技術分野】
【０００１】
本発明はフィルム搬送装置、プリンタ、プリンタ付き撮像装置、及びフィルム搬送方法に関し、特にインスタントフィルムのためのフィルム搬送装置、プリンタ、プリンタ付き撮像装置、及びフィルム搬送方法に関する。
【背景技術】
【０００２】
自己現像液を内蔵するインスタントフィルム用のプリンタが知られている。この種のプリンタでは、複数のフィルムを重ねさらにその上にフィルムカバーを重ねてカートリッジに収納したフィルムパックを用いる。そしてプリンタでは、フィルムに露光するためにフィルムカバーを事前に排出し、フィルムは露光及び印画に際して順次搬送する。このようなプリンタは、例えば下記特許文献１に記載されている。
【０００３】
特許文献１には、フィルムの搬送速度を一定の低い速度にするのではなく、現像ローラが現像液収納部に位置している場合、及び／または光ヘッドによる感光面への露光が行われている場合の搬送速度を他の場合よりも低くすることで、すなわち画像に影響がない部分の搬送速度を高速にすることで、画像への影響を抑えつつ露光及び現像済みのフィルムを短時間で排出することが記載されている。
【先行技術文献】
【特許文献】
【０００４】
【特許文献１】特開２００２−２２１７７８号公報
【発明の概要】
【発明が解決しようとする課題】
【０００５】
上述の特許文献１にはインスタントフィルムの搬送速度を搬送中に変化させることが記載されているが、現像ローラが現像液収納部に位置している場合、及び／または光ヘッドによる感光面への露光が行われている場合の搬送速度を他の場合よりも低くすることしか考慮されておらず、搬送機構間でのインスタントフィルムの受け渡しが行われている場合の搬送速度と他の場合の搬送速度の関係、及び受け渡しに起因する排出不良及び搬送速度低下については何ら記載されていない。また、特許文献１にはインスタントフィルムの搬送速度について記載されているが、フィルムカバーの搬送速度については何ら記載されていない。
【０００６】
このように、従来の技術はインスタントフィルム及びフィルムカバーを高速かつ安定的に搬送できるものではなかった。
【０００７】
本発明はこのような事情に鑑みてなされたもので、インスタントフィルム及びフィルムカバーを高速かつ安定的に搬送できるフィルム搬送装置、プリンタ、プリンタ付き撮像装置、及びフィルム搬送方法を提供することを目的とする。
【課題を解決するための手段】
【０００８】
上述した目的を達成するため、本発明の第１の態様に係るフィルム搬送装置は、インスタントフィルム及びフィルムカバーを収納する収納部と、収納部に収納されたインスタントフィルム及びフィルムカバーを搬送方向に搬送する搬送部であって、インスタントフィルム及びフィルムカバーの搬送を開始する第１の搬送機構と、第１の搬送機構による搬送に引き続いてインスタントフィルム及びフィルムカバーを搬送する第２の搬送機構と、を備える搬送部と、搬送部によるインスタントフィルムの搬送速度とフィルムカバーの搬送速度とを制御する搬送制御部と、を備え、搬送制御部は、第１の搬送機構及び第２の搬送機構を制御して、インスタントフィルム及びフィルムカバーの第１の搬送機構から第２の搬送機構への受け渡し後の搬送速度を、少なくとも受け渡しが行われている間の搬送速度よりも速くする。
【０００９】
第１の態様によれば、第１の搬送機構から第２の搬送機構への受け渡し後の搬送速度を、少なくとも受け渡しが行われている間の搬送速度よりも速くするので、搬送を高速に行いつつ、インスタントフィルム及びフィルムカバーの受け渡しを確実に行って搬送不良を減らし、安定的に搬送することができる。
【００１０】
なお第１の態様において、第１、第２の搬送機構の双方により搬送が行われる区間があってもよい。また、インスタントフィルム及びフィルムカバーは同時に搬送する必要はなく、例えばフィルムカートリッジの装填時等、印画前にフィルムカバーを搬送し、インスタントフィルムは印画時に順次搬送すればよい。
【００１１】
このようにして、第１の態様ではインスタントフィルム及びフィルムカバーを高速かつ安定的に搬送することができる。
【００１２】
第２の態様に係るフィルム搬送装置は第１の態様において、第１の搬送機構はインスタントフィルム及びフィルムカバーの搬送方向と反対側の端部に当接して搬送方向に移動する移動部材を備え、第２の搬送機構はインスタントフィルム及びフィルムカバーを挟持して搬送するキャプスタンローラ及びピンチローラを含む。第２の態様は搬送機構の具体的構成を示すもので、第１の搬送機構の移動部材によりインスタントフィルム及びフィルムカバーの搬送を開始し、引き続いて第２の搬送機構のキャプスタンローラ及びピンチローラにより搬送する。搬送途中でインスタントフィルム及びフィルムカバーの受け渡しを行う。
【００１３】
第３の態様に係るフィルム搬送装置は第１または第２の態様において、搬送制御部は、搬送部を制御して、同一の送り位置におけるインスタントフィルムの搬送速度とフィルムカバーの搬送速度とを異ならせる。第３の態様によれば、インスタントフィルム及びフィルムカバーを、それぞれに適した搬送速度で搬送することができる。
【００１４】
第４の態様に係るフィルム搬送装置は第１から第３の態様のいずれか１つにおいて、搬送制御部は、搬送部を制御して、同一の送り位置ではインスタントフィルムの搬送速度をフィルムカバーの搬送速度よりも速くする。第４の態様は、インスタントフィルムの搬送速度とフィルムカバーの搬送速度との関係の具体的態様を示すものである。
【００１５】
第５の態様に係るフィルム搬送装置は第１から第４の態様のいずれか１つにおいて、搬送部は、フィルムカバー及びインスタントフィルムの素材及び／または厚さに応じた搬送速度で、フィルムカバー及びインスタントフィルムをそれぞれ搬送する。フィルムカバー及びインスタントフィルムの最適な搬送速度は素材及び／または厚さに応じて異なるので、第５の態様ではこの点を考慮した搬送速度で搬送する。これにより、フィルムカバー及びインスタントフィルムを高速かつ安定的に搬送することができる。
【００１６】
上述した目的を達成するため、本発明の第６の態様に係るプリンタは第１から第５の態様のいずれか１つに係るフィルム搬送装置と、画像データを入力する画像データ入力部と、フィルム搬送装置によるインスタントフィルムの搬送方向と直交した方向に配置され、入力した画像データに基づいて駆動されるラインヘッドと、ラインヘッドによるライン画像の印画を制御する印画制御部と、を備える。第６の態様によれば、第１から第５の態様のいずれか１つに係るフィルム搬送装置によりインスタントフィルム及びフィルムカバーを高速かつ安定的に搬送し、これにより高速かつ安定的に印画を行うことができる。
【００１７】
上述した目的を達成するため、本発明の第７の態様に係るプリンタ付き撮像装置は第６の態様に係るプリンタと、画像データ入力部として機能する撮像部と、を備える。第７の態様によれば、第６の態様に係るプリンタを備えることにより、撮像部で取得した画像データを高速かつ安定的に印画することができる。
【００１８】
上述した目的を達成するため、本発明の第８の態様に係るフィルム搬送方法はインスタントフィルム及びフィルムカバーが収納される収納部と、インスタントフィルム及びフィルムカバーを搬送する搬送部であって、第１の搬送機構及び第２の搬送機構を有する搬送部と、を備えるフィルム搬送装置のフィルム搬送方法であって、第１の搬送機構によりインスタントフィルム及びフィルムカバーを搬送する第１の搬送工程と、第１の搬送機構による搬送に引き続いて、第２の搬送機構によりインスタントフィルム及びフィルムカバーを搬送する第２の搬送工程と、第１及び第２の搬送工程におけるインスタントフィルム及びフィルムカバーの搬送速度を制御する搬送制御工程と、を備え、搬送制御工程では、第１の搬送機構及び第２の搬送機構を制御して、インスタントフィルム及びフィルムカバーの第１の搬送機構から第２の搬送機構への受け渡し後の搬送速度を、少なくとも受け渡しが行われている間の搬送速度よりも速くする。
【００１９】
第８の態様によれば、第１の態様と同様にしてインスタントフィルム及びフィルムカバーを高速かつ安定的に搬送することができる。なお第８の態様に対して、第２から第５の態様と同様の構成要件をさらに含めてもよい。
【発明の効果】
【００２０】
以上説明したように、本発明のフィルム搬送装置、プリンタ、プリンタ付き撮像装置、及びフィルム搬送方法によれば、インスタントフィルム及びフィルムカバーを高速かつ安定的に搬送することができる。
【図面の簡単な説明】
【００２１】
【図１】図１は、第１の実施形態に係るプリントシステムの構成を示す図である。
【図２】図２は、プリンタにインスタントフィルムパックを装填する様子を示す図である。
【図３】図３は、インスタントフィルムパックの分解斜視図である。
【図４】図４は、インスタントフィルムを露光面側から見た平面図である。
【図５】図５は、インスタントフィルムを観察面側から見た平面図である。
【図６】図６は、インスタントフィルム及びフィルムカバーの搬送機構を示す図である。
【図７】図７は、インスタントフィルム及びフィルムカバーの搬送機構を示す他の図である。
【図８】図８は、インスタントフィルム及びフィルムカバーの搬送機構を示すさらに他の図である。
【図９】図９は、第１の実施形態に係るプリンタの構成を示すブロック図である。
【図１０】図１０は、インスタントフィルム及びフィルムカバーの搬送の様子を示す図である。
【図１１】図１１は、インスタントフィルム及びフィルムカバーの搬送の様子を示す他の図である。
【図１２】図１２は、インスタントフィルム及びフィルムカバーの搬送の様子を示すさらに他の図である。
【図１３】図１３は、インスタントフィルム及びフィルムカバーの搬送速度の例を示す図である。
【図１４】図１４は、インスタントフィルム及びフィルムカバーの搬送速度の例を示す他の図である。
【図１５】図１５は、第２の実施形態に係るプリンタ付きカメラを示す斜視図である。
【図１６】図１６は、第２の実施形態に係るプリンタ付きカメラの構成を示すブロック図である。
【発明を実施するための形態】
【００２２】
以下、添付図面を参照しつつ、本発明に係るフィルム搬送装置、プリンタ、プリンタ付き撮像装置、及びフィルム搬送方法の実施形態について説明する。
【００２３】
＜第１の実施形態＞
＜プリントシステムの構成＞
図１は、本発明の第１の実施形態に係るプリントシステム１００の外観図である。プリントシステム１００は、スマートフォン２００と、本発明に係るプリンタが適用されたプリンタ３００（フィルム搬送装置、プリンタ）とにより構成される。
【００２４】
スマートフォン２００は図示せぬ撮影光学系及び無線通信部を備え、ユーザが撮影光学系を介して撮影した画像の画像データ、及びこの画像データに対する印画指示を無線通信部によりプリンタ３００に送信する。この際、いわゆるテンプレート（文字、数字、記号、及びイラスト等）のデータを合わせて送信し、画像とともに印画してもよい。スマートフォン２００は、撮影及び無線通信が可能なタイプであれば、一般的に用いられているスマートフォンを用いることができる。上述した画像データ、印画指示、及びテンプレート等のデータ管理及び送信は、専用のアプリケーションをスマートフォン２００にインストールして行ってもよい。
【００２５】
プリンタ３００は無線通信が可能であり、無線通信部７５（図９参照；画像データ入力部）によりスマートフォン２００から受信した画像データ、テンプレート（スマートフォン２００から送信された場合）、及び印画指示により、後述するインスタントフィルム１０に印画を行う。印画済みのインスタントフィルム１０はプリンタ３００の端部に設けられたフィルム排出口３１１から排出される。プリンタ３００は、図示せぬ操作部及び表示部を備える。なお、画像データ及びテンプレートの入力はメモリカード等の記録媒体及び／またはインターネット等のネットワークを介して行うことができ、また印画指示はプリンタ３００に設けられた図示せぬ操作部を介して行うことができる。
【００２６】
＜インスタントフィルムパックの装填＞
図２はプリンタ３００にインスタントフィルムパック１を装填する様子を示す図である。プリンタ３００には装填室３１５（収納部）が設けられており、この装填室３１５にインスタントフィルムパック１が装填される。装填室３１５には開閉可能な蓋部材３０２が設けられており、ユーザはインスタントフィルムパック１の装填後に蓋部材３０２を閉じる。蓋部材３０２には図示せぬバネにより付勢された押し上げ部材３０４が設けられており、インスタントフィルムパック１が装填室３１５に装填されて蓋部材３０２が閉じられると、押し上げ部材３０４がインスタントフィルムパック１の背面に設けられた押し上げ部材挿入部３３に挿入されて遮光シート５０（図３参照）を前面側（押し上げ部材挿入部３３の開口面と反対側）に押し上げ、フィルムカバー６０及びインスタントフィルム１０をケース２０の内面に押し当てる。
【００２７】
＜インスタントフィルムパックの構成＞
図３はインスタントフィルムパック１の分解斜視図である。インスタントフィルムパック１は、インスタントフィルム１０と、インスタントフィルム１０を収容するケース２０（図２参照）と、遮光シート５０と、フィルムカバー６０と、を備えて構成される。ケース２０は、ケース本体２２と、ケース本体２２の背面を塞ぐケース蓋２４とで構成される。
【００２８】
＜ケース本体＞
ケース本体２２は、背面部が開放された平たい矩形の箱形状である。ケース本体２２には、インスタントフィルム１０の露光領域を露光させるための露光開口部２６、インスタントフィルム１０を排出するための排出口２８、排出口２８を遮光するためのケースフラップ材２９、及びクロー部材７２（図１０乃至図１２参照）を挿入するためのクロー開口部３２が備えられる。露光開口部２６は、インスタントフィルム１０の露光部１２（図４参照）の形状に対応した形状を有する。露光開口部２６は、ケース２０に収納されたインスタントフィルム１０の露光部１２が露呈する位置に配置される。
【００２９】
排出口２８はケース本体２２の天面部に設けられ、フィルムカバー６０及びインスタントフィルム１０が通過できるサイズのスリット形状を有する。排出口２８は、積層方向の最上位に位置するインスタントフィルム１０を排出できる位置に配置される。
【００３０】
ケースフラップ材２９は矩形状のフィルム片で構成され、片側の長辺に沿ってケース本体２２に接着されることにより、排出口２８を開閉可能に遮蔽する。
【００３１】
クロー開口部３２は、図６に示すように、ケース本体２２の正面部分２２ａ及び底面部２２ｃに備えられる。クロー開口部３２は、スリット形状を有し、底面部２２ｃを基点として、正面部分２２ａに直線状に配置される。ケース本体２２の底面部２２ｃには、図６に示すように、クロー開口部３２の一部を構成する切欠き状の入口部３２ａが備えられる。ケース本体２２の正面部分２２ａには、クロー開口部３２の一部を構成するスリット状の通路部３２ｂが備えられる。通路部３２ｂは、インスタントフィルム１０の搬送方向Ｆに沿って直線状に配置される。通路部３２ｂの終点は、露光開口部２６とされる。すなわち、クロー開口部３２は、ケース本体２２の底面部２２ｃと露光開口部２６とを直線状に繋ぐ形で配置される。クロー開口部３２の幅は、クロー部材７２を挿入できる幅とされる。
【００３２】
＜ケース蓋＞
ケース蓋２４は矩形の板形状を有し、ケース本体２２の背面部に装着されて、解放されたケース本体２２の背面を塞ぐ。ケース蓋２４には、一対の押し上げ部材挿入部３３、一対のフィルム支持部３１、及び一対の遮光シート取付部４２が備えられる。押し上げ部材挿入部３３は、上述した押し上げ部材３０４（図２参照）を挿入するための開口部である。フィルム支持部３１は、ケース２０に収容されたインスタントフィルムパック１を指示する支持部である。フィルム支持部３１は円弧状の薄板で構成され、ケース蓋２４の両側の長辺に沿ってケース蓋２４の内側に配置される。ケース２０に収容されたインスタントフィルム１０は、このフィルム支持部３１によって凸状に支持される。遮光シート取付部４２は、遮光シート５０の取付部である。遮光シート取付部４２は円柱状のピンで構成され、ケース蓋２４の中央部分に並列して配置される。
【００３３】
＜遮光シート＞
遮光シート５０は、ケース２０内でインスタントフィルム１０を支持し、かつ、遮光する。遮光シート５０は、板バネとしての機能を有する第１遮光シート５３と、支持板としての機能を有する第２遮光シート５４とを組み合わせて構成される。第１遮光シート５３及び第２遮光シート５４を一体化した遮光シート５０は、第１遮光シート５３の固定部５３ｂをケース蓋２４の遮光シート取付部４２に差し込み、さらに差し込んだ部位を接着することにより、ケース蓋２４に取り付けられる。ケース蓋２４に取り付けられた遮光シート５０は、一対のフィルム支持部３１の間に配置される。
【００３４】
上述のように、インスタントフィルムパック１が装填室３１５に装填され蓋部材３０２が閉じられると、押し上げ部材挿入部３３に押し上げ部材３０４が挿入される。遮光シート５０は、押し上げ部材挿入部３３に挿入された押し上げ部材３０４に押されて、インスタントフィルム１０をケース２０の内面に押し当てる。この際、第１遮光シート５３が弾性変形してインスタントフィルム１０を弾性的に押圧し、ケース２０の内面に押し当てる。
【００３５】
＜フィルムカバー＞
フィルムカバー６０は、露光開口部２６からの光を遮光する。フィルムカバー６０は、図３に示すように、積層されたインスタントフィルム１０の最上位に重ねて配置されて、ケース２０に収容される。フィルムカバー６０には、切欠き部６２、及び、フィルムカバースカート材６４が備えられる。切欠き部６２は、スリット形状を有し、フィルムカバー６０の後端部に備えられる。切欠き部６２は、フィルムカバー６０の送り方向に沿って配置される。切欠き部６２を配置する位置は、クロー開口部３２と同じ位置に設定される。これにより、フィルムカバー６０をケース２０に収容すると、クロー開口部３２に連なるように切欠き部６２が配置される。切欠き部６２は、クロー開口部３２と同じ幅を有する。なお、「同じ幅」には、ほぼ同じ幅が含まれる。
【００３６】
フィルムカバースカート材６４は遮光部材の一例であり、フィルムカバー６０に取り付けられて、クロー開口部３２及び切欠き部６２からの光を遮光する。フィルムカバースカート材６４は、矩形状のシート片で構成される。フィルムカバースカート材６４は、フィルムカバー６０の背面部に取り付けられて、切欠き部６２を遮蔽する。この際、一部がフィルムカバー６０からはみ出して取り付けられる。はみ出した部分は、クロー開口部３２の入口部３２ａを遮蔽するためのスカート部として機能する。フィルムカバー６０をケース２０に収容すると、クロー開口部３２の入口部３２ａがスカート部で遮蔽され、入口部３２ａからの光が遮光される。
【００３７】
フィルムカバースカート材６４は、接着によりフィルムカバー６０に取り付けられる。また、ケース２０に装着されたフィルムカバー６０は、フィルムカバースカート材６４のスカート部がケース２０の内面に接着されて固定される。フィルムカバースカート材６４は、クロー部材７２がフィルムカバー６０の搬送を開始するとフィルムカバー６０とともに移動し、排出口２８から排出される。
【００３８】
＜インスタントフィルム＞
インスタントフィルム１０は、公知の自己現像型のインスタントフィルムであり、矩形のカード形状を有する。図４，５に示すように、インスタントフィルム１０は、一方側の面が露光面１０ａ、他方側の面が観察面１０ｂとして構成される。
【００３９】
図４は、インスタントフィルムを露光面１０ａ側から見た平面図である。図４において、矢印で示す方向が、インスタントフィルム１０の送り方向（搬送方向Ｆ）である。送り方向とは、インスタントフィルム１０の使用方向と同義である。インスタントフィルム１０をケース２０に収容した場合には、インスタントフィルム１０の送り方向がインスタントフィルム１０の排出方向となる。露光面１０ａには、露光部１２、ポッド部１４、及びトラップ部１６が備えられる。露光部１２は露光領域であり、矩形状の領域として、ポッド部１４とトラップ部１６との間に配置される。ポッド部１４は、インスタントフィルム１０の送り方向の先端側に配置される。ポッド部１４には、現像処理液を内包した現像処理液ポッド１４ａが内蔵される。トラップ部１６は、インスタントフィルム１０の送り方向の後端側に配置される。トラップ部１６には、吸収材１６ａが内蔵される。
【００４０】
図５は、インスタントフィルムを観察面１０ｂ側から見た平面図である。図５において、矢印で示す方向が、インスタントフィルム１０の送り方向（搬送方向Ｆ）である。観察面１０ｂには、撮影した画像の観察領域となる観察部１８が備えられる。観察部１８は、露光面側の露光部１２に対応して配置される。
【００４１】
インスタントフィルム１０は、露光後、ポッド部１４の現像処理液を露光部１２に展開させることにより現像処理される。インスタントフィルム１０は、一対の展開ローラ４０（図６及び図７を参照）の間を通されることにより、ポッド部１４の現像処理液が絞り出され、露光部１２に展開される。この際、余剰の現像処理時がトラップ部１６で捕捉される。
【００４２】
＜インスタントフィルムパックの組み立て＞
インスタントフィルムパック１は、フィルムカバー６０及びインスタントフィルム１０をケース本体２２に収容し、ケース蓋２４でケース本体２２の背面を閉じることにより組み立てられる。この際、まず、フィルムカバー６０をケース本体２２に収容する。そして、フィルムカバースカート材６４のスカート部をケース２０の内面に接着する。これにより、露光開口部２６及びクロー開口部３２がフィルムカバー６０によって遮蔽される。この後、インスタントフィルム１０を積層した状態でケース本体２２に収容する。インスタントフィルム１０は、露光面１０ａ（図４参照）を上にして積層する。そして、露光面１０ａを露光開口部２６の側に向けてケース本体２２に収容する。これにより、最上位に位置するインスタントフィルム１０の露光面１０ａの上にフィルムカバー６０が載置された状態でフィルムカバー６０及びインスタントフィルム１０がケース本体２２に収容される。この後、ケース本体２２の背面をケース蓋２４で閉じる。以上によりインスタントフィルムパック１の組み立てが完了する。
【００４３】
＜インスタントフィルムパックの使用形態＞
インスタントフィルムパック１は、フィルムカバー６０を取り外して使用する形態、及びフィルムカバー６０を取り外さずに使用する形態の双方が可能であるが、本実施形態のプリンタ３００では、インスタントフィルムパック１をプリンタ３００に装填後、フィルムカバー６０を取り外して（排出して）使用する。この場合、インスタントフィルム１０はケース２０から搬送された後に露光ヘッド２５（図６及び図７を参照）により露光され、展開ローラ４０（図６及び図７を参照）により現像液の展開が行われて印画される。搬送及び露光（印画）は、ケース内で最上位に位置するインスタントフィルム１０から下位に位置するインスタントフィルム１０に対して順次行われる。フィルムカバー６０及びインスタントフィルム１０の搬送、排出、及び露光については後述する。
【００４４】
＜プリンタの主要構成＞
次に、プリンタ３００における、フィルムカバー６０及びインスタントフィルム１０の搬送、排出、及び露光に関わる主要構成部品の配置を説明する。図６は搬送、排出、及び露光に関する部品の配置を示す斜視図であり、図７は図６に示す状態の上面図である。また、図８はキャプスタンローラ３５及びピンチローラ３９を搬送方向下流側から見た状態を示す図である。図６乃至図８では説明の対象としない部品は適宜図示を省略しており、また部品の形状、寸法、及び配置は適宜簡略化して図示している。また、プリンタ３００の制御系の概略構成を図９に示す。
【００４５】
図６及び図７に示すように、インスタントフィルムパック１の搬送方向Ｆにおける下流側には、フィルム検出センサ２７（搬送部、搬送制御部）、露光ヘッド２５（ラインヘッド）、キャプスタンローラ３５（搬送部）及びピンチローラ３９（搬送部）、及び一対の展開ローラ４０（ローラ４０ａ，ローラ４０ｂ）が上流側から下流側に向かってこの順に配置されている。それぞれの位置は固定されている。
【００４６】
＜フィルム検出センサ＞
フィルム検出センサ２７はインスタントフィルム１０の位置検出用のセンサであり、フォトインタラプタ型あるいはフォトリフレクタ型のセンサを用いることができる。フィルム検出センサ２７がフィルムカバー６０またはインスタントフィルム１０を検出すると、システムコントローラ４５（搬送制御部、印画制御部）はパルス検出回路５１によりロータリーエンコーダ３６の出力パルスのカウントを開始する。この出力パルスのカウント数により、フィルムカバー６０またはインスタントフィルム１０の位置を知ることができる。このようにして検出したフィルムカバー６０またはインスタントフィルム１０の位置は、露光開始タイミングの制御や、クロー部材７２からキャプスタンローラ３５へのインスタントフィルム１０の受け渡しの際の搬送速度制御に用いられる。
【００４７】
＜露光ヘッド及び露光ヘッド駆動部＞
露光ヘッド２５はライン型の露光ヘッドであり、長手方向がフィルムカバー６０及びインスタントフィルム１０の搬送方向Ｆと直交する方向に配置されている。露光ヘッド２５の内部には赤色、緑色、及び青色の光を画素単位で発光する微小なＬＥＤ（Light-Emitting Diode）を長手方向に並べたＬＥＤアレイ（不図示）が設けられており、各色のＬＥＤアレイからの光はその前面に配されたマイクロレンズアレイ（不図示）を透過してインスタントフィルム１０の同一ライン上に照射される。したがって、インスタントフィルム１０にはライン毎に三色同時に露光が行われる。なお、通常のＬＥＤに代えてＯＬＥＤ（Organic Light Emitting Diode；有機発光ダイオード）を光源として用いてもよい。露光ヘッド駆動部７３（図９参照；印画制御部）は、スマートフォン２００から受信したプリントデータに基づいて露光ヘッド２５を駆動する。
【００４８】
プリンタ３００では、上述した構成の露光ヘッド２５及び露光ヘッド駆動部７３により、キャプスタンローラ３５及びピンチローラ３９によって搬送されるインスタントフィルム１０の露光面１０ａに１ラインずつプリント光を照射して、インスタントフィルム１０に画像を記録する。なお、プリンタ３００が上述したテンプレートのデータをスマートフォン２００から受信している場合は、受信したテンプレートを画像と併せてインスタントフィルム１０に記録する。
【００４９】
＜キャプスタンローラ＞
キャプスタンローラ３５（第２の搬送機構）は、キャプスタンローラ駆動部３４（第２の搬送機構）に設けられたギヤ（不図示）を介してＤＣ（Direct-Current）モータ３０に接続されており（図９参照）、インスタントフィルム１０の露光面１０ａ側に組み込まれる。図７に示すように、キャプスタンローラ３５は露光ヘッド２５の発光部の近傍に配置されている。図７に示すように、キャプスタンローラ３５の端部にはフィルムカバー６０及びインスタントフィルム１０の端部を把持するための一対の円盤状のローラ３５ａ，３５ｂが配置されており、ローラ３５ａ，３５ｂは突起３５ｃによりインスタントフィルム１０の端部を確実に把持する。
【００５０】
＜ロータリーエンコーダ＞
また、図７及び図８に示すように、キャプスタンローラ３５の回転軸と同軸上に、ロータリーエンコーダ３６を構成するスリット円盤３７が配設されており、その近傍にはスリット円盤３７のスリット３７ａ（図６参照）を検出するパルスジェネレータ３８が固定されている。このロータリーエンコーダ３６では、キャプスタンローラ３５の回転速度（インスタントフィルム１０の搬送速度）に応じた周期のパルス信号を含むエンコーダ信号を出力する。
【００５１】
＜ピンチローラ＞
ピンチローラ３９（第２の搬送機構）は例えば硬質ウレタンのような弾性のある材質で形成されており、キャプスタンローラ３５に対向して配置されている。また、ピンチローラ３９はキャプスタンローラ３５に従動して回転する。このピンチローラ３９には、両端部に図示せぬコイルバネが接続されており、このコイルバネの付勢により通常はキャプスタンローラ３５に当接している。このピンチローラ３９とキャプスタンローラ３５とでインスタントフィルム１０を挟持しながら回転することにより（図８参照）、インスタントフィルム１０を展開ローラ４０へ搬送することができる。
【００５２】
＜展開ローラ＞
図６に示すように、展開ローラ４０は２本を１組として構成され、これらを対向して配置したものである。この展開ローラ４０は例えば金属部材から形成されており、キャプスタンローラ３５の直径と同じ直径で形成されている。この１組の展開ローラ４０のうちの一方のローラ４０ａは、キャプスタンローラ３５と同じ側に配置されており、展開ローラ駆動部４１の不図示の減速ギヤ及びトルクリミッタを介してＤＣモータ３０に接続されている（図９参照）。トルクリミッタを組み込むことで、展開ローラ４０で発生するトルクが設定トルク以上になった場合、展開ローラ４０で発生するトルクを規制することができる。また、ローラ４０ａに対向するローラ４０ｂは、ピンチローラ３９と同様に両端にコイルバネ（不図示）が接続され、その付勢力によりインスタントフィルム１０を挟み込んで固定側のローラ４０ａに従動して回転する。この展開ローラ４０は、インスタントフィルム１０に設けられたポッド部１４を挟持して破砕する（図８参照）とともに、現像処理液をインスタントフィルム１０の内部の感光層に展開させる。
【００５３】
＜露光制御（印画制御）＞
システムコントローラ４５（搬送制御部、印画制御部）は、パルス検出回路５１（印画制御部）により検出されたパルス信号に同期して露光ヘッド駆動部７３（印画制御部）を駆動し、これにより露光ヘッド２５の露光タイミングを制御するとともに、露光制御部４７（印画制御部）、ラインメモリ４８、及び露光ヘッド駆動部７３を通じて露光ヘッド２５から発光される赤色、緑色、及び青色の各色の発光光量を制御する（印画制御工程）。
【００５４】
システムコントローラ４５は、無線通信部７５を介して受信した画像データのうちの１ライン分の赤色、緑色、及び青色の画像データを順次ラインメモリ４８に供給し、露光制御部４７は、１ライン分の赤色、緑色、及び青色の画像データをラインメモリ４８から読み出す。また、システムコントローラ４５は、パルス検出回路５１により検出されたパルス信号に基づいてインスタントフィルム１０の現在の搬送速度を求め、求めた搬送速度を示す情報を露光制御部４７に出力する。
【００５５】
露光制御部４７は、露光ヘッド２５の各ＬＥＤから発光される発光光量が、画像データの各画素値（例えば、０〜２５５）に対応する発光光量になるようにＰＷＭ（Pulse Width Modulation）信号を生成し（印画制御工程）、濃度補正回路４７ａ（印画制御部）は、露光制御部４７が生成したＰＷＭ信号に対する補正を行う。濃度補正回路４７ａ（印画制御部）は、インスタントフィルム１０の搬送速度にかかわらず、インスタントフィルムに印画される画像の濃度が、インスタントフィルム１０が基準の搬送速度で搬送される場合と同様の濃度になるようにＰＷＭ信号を補正するものであり、システムコントローラ４５から入力する現在の搬送速度を示す情報に基づいて濃度補正情報を算出し、算出した濃度補正情報によりＰＷＭ信号を補正する（印画制御工程）。
【００５６】
ここで、濃度補正回路４７ａにおいて算出される濃度補正情報は、予め設定されたインスタントフィルム１０の基準の搬送速度とインスタントフィルム１０の現在の搬送速度との関係を示す情報であり、濃度補正情報による補正は、パルス幅変調したパルス幅に濃度補正情報を演算することにより行うことができる。すなわち、搬送速度が速い場合はパルス幅を長くするように補正し、搬送速度が遅い場合はパルス幅を短くするように補正する。露光制御部４７は、濃度補正回路４７ａが補正したＰＷＭ信号を露光ヘッド駆動部７３に出力する（印画制御工程）。
【００５７】
露光ヘッド駆動部７３は、補正後のＰＷＭ信号に基づいて露光ヘッド２５を駆動してインスタントフィルム１０の露光面１０ａに三色同時露光を行わせる。露光ヘッド２５によりインスタントフィルム１０に露光されるライン画像の露光タイミングはパルス検出回路５１により検出されたパルス信号に同期しているため、インスタントフィルム１０の搬送速度が基準の搬送速度よりも速い場合及び基準の搬送速度よりも遅い場合は印画された画像にスジ状のムラが発生するが、本実施形態に係るプリンタ３００では、上述のように露光制御部４７を通じてインスタントフィルム１０の搬送速度に応じた濃度補正を行うためインスタントフィルム１０に印画された画像にスジ状のムラが発生しないようにすることができる。
【００５８】
＜フィルムカバー及びインスタントフィルムの搬送＞
システムコントローラ４５は、未使用のインスタントフィルムパック１がプリンタ３００に装填されると、未使用のインスタントフィルムパック１の装填を検出して自動的にフィルムカバー６０を搬送（排出）するために、モータドライバ４６を介してＤＣモータ３０（搬送部）を駆動制御し、また、スマートフォン２００から画像データ及び印画指示を受信すると、未露光のインスタントフィルム１０を搬送しながら露光し、現像及び展開を行うために、モータドライバ４６を介してＤＣモータ３０を駆動制御する。なお、モータドライバ４６には、不図示のバッテリーまたはＡＣ（alternating current）アダプタから直流電源が供給されており、モータドライバ４６は、システムコントローラ４５から入力する駆動指令に基づいて、ＤＣモータ３０の駆動速度に応じた電圧の駆動電力をＤＣモータ３０に供給する。
【００５９】
また、システムコントローラ４５は露光制御部４７及びラインメモリ４８に信号を送出する。ＤＣモータ３０の駆動によりクロー駆動部７１（搬送部、第１の搬送機構）が作動し、クロー部材７２（搬送部、第１の搬送機構、移動部材）がインスタントフィルムパック１に形成されたクロー開口部３２から侵入して、最上層のフィルムカバー６０またはインスタントフィルム１０の後端に係止される（図１０参照）。そしてフィルムカバー６０またはインスタントフィルム１０の先端を排出口２８から搬送方向Ｆに送り出す（第１の搬送工程）。また、ＤＣモータ３０の駆動によりキャプスタンローラ３５が回転を開始し、ピンチローラ３９はキャプスタンローラ３５の回転に従動して回転する。
【００６０】
フィルムカバー６０またはインスタントフィルム１０は、クロー部材７２が移動するのにつれて搬送方向Ｆに移動する（第１の搬送工程）。フィルムカバー６０またはインスタントフィルム１０がフィルム検出センサ２７の位置に到達すると、フィルム検出センサ２７がフィルムカバー６０またはインスタントフィルム１０を検出し、これによりシステムコントローラ４５はパルス検出回路５１によりロータリーエンコーダ３６の出力パルスのカウントを開始する。この出力パルスのカウント数に基づいて、搬送速度及び露光（印画）のタイミングが制御される。
【００６１】
クロー部材７２は図１０に示す状態から移動を継続し、フィルムカバー６０またはインスタントフィルム１０をキャプスタンローラ３５（第２の搬送機構）及びピンチローラ３９（第２の搬送機構）の間に送り込む（図１１参照）。これによりフィルムカバー６０またはインスタントフィルム１０はキャプスタンローラ３５及びピンチローラ３９の間に食い込み始め、クロー部材７２からキャプスタンローラ３５及びピンチローラ３９への受け渡しが始まる。受け渡しが行われている間は、フィルムカバー６０またはインスタントフィルム１０はクロー部材７２に加えて、キャプスタンローラ３５及びピンチローラ３９により搬送される（第１の搬送工程，第２の搬送工程）。
【００６２】
搬送が継続されて、クロー部材７２が移動範囲の端に到達した状態では（図１２参照）、フィルムカバー６０またはインスタントフィルム１０はキャプスタンローラ３５及びピンチローラ３９の間に完全に食い込んだ状態になる。これによりフィルムカバー６０またはインスタントフィルム１０の受け渡しが終了し、クロー部材７２は搬送方向Ｆと反対方向に退避を開始する。受け渡し後は、引き続いてキャプスタンローラ３５及びピンチローラ３９により搬送が行われる（第２の搬送工程）。
【００６３】
上述した搬送において、クロー部材７２の移動範囲（図１０に示す位置と図１２に示す位置との距離）及び移動速度は、ＤＣモータ３０の回転速度の他、クロー駆動部７１にギヤ、カム部材、及びリンク部材等（不図示）を用いることで設定することができる。同様に、キャプスタンローラ３５の回転速度も、ＤＣモータ３０の回転速度の他、キャプスタンローラ駆動部３４にギヤ等（不図示）を用いることで設定することができる。
【００６４】
＜フィルムカバー及びインスタントフィルムの搬送速度＞
次に、本実施形態におけるフィルムカバー６０及びインスタントフィルム１０の搬送速度について説明する。
【００６５】
＜例１＞
図１３は、フィルムカバー６０及びインスタントフィルム１０の搬送速度の例（例１）を示すグラフである。横軸は搬送開始（図１０の状態）を基準としたフィルムカバー６０及びインスタントフィルム１０の先端の位置ｘを示し、縦軸は搬送速度Ｖを示す。図１３において、ｘ１及びｘ２はそれぞれクロー部材７２からキャプスタンローラ３５及びピンチローラ３９への受け渡し開始（図１１参照）及び終了（図１２参照）時におけるフィルムカバー６０及びインスタントフィルム１０の先端位置である。例１ではフィルムカバー６０の搬送速度Ｖfc-1及びインスタントフィルム１０の搬送速度Ｖf-1を搬送途中で（受け渡し後に）変化させている。具体的には、例１ではフィルムカバー６０及びインスタントフィルム１０とも受け渡し終了までの搬送速度は一定であり、受け渡し後の搬送速度は受け渡しが行われている間よりも高速にしている。また例１では、同一の送り位置におけるフィルムカバー６０の搬送速度Ｖfc-1とインスタントフィルム１０の搬送速度Ｖf-1とを異ならせている（インスタントフィルム１０の搬送速度の方が速い）。このような搬送速度の制御は、主としてシステムコントローラ４５及びモータドライバ４６がＤＣモータ３０の回転速度を変化させることにより行う（搬送制御工程）。なお、例１において具体的な搬送速度はフィルムカバー６０及びインスタントフィルム１０の素材及び／または厚さに応じて設定することができる。
【００６６】
例１のように、受け渡し終了までは相対的に低速度にすることにより、フィルムカバー６０及びインスタントフィルム１０をキャプスタンローラ３５及びピンチローラ３９に確実に食い込ませて、搬送不良及び排出不良を防止して安定的に搬送することができ、一方受け渡し後は高速で搬送することにより、短時間で排出することができる。
【００６７】
＜例２＞
フィルムカバー６０及びインスタントフィルム１０の搬送速度の他の例（例２）を図１４に示す。例２の搬送速度は、同一の送り位置での搬送速度をフィルムカバー６０とインスタントフィルム１０とで異ならせる（インスタントフィルム１０の搬送速度の方が速い）点、及びフィルムカバー６０の搬送速度Ｖfc-2及びインスタントフィルム１０の搬送速度Ｖf-2を搬送途中で（受け渡し終了後に）変化させる点は例１と同じであるが、例２では、フィルムカバー６０及びインスタントフィルム１０とも、受け渡しの間は速度を下げ、それ以外では高速に搬送する点が例１と異なっている。インスタントフィルム１０及びフィルムカバー６０の受け渡し位置はｘ１からｘ２までである。このような搬送速度の制御は、主としてシステムコントローラ４５及びモータドライバ４６がＤＣモータ３０の回転速度を変化させることにより行う（搬送制御工程）。なお、例２においても具体的な搬送速度はフィルムカバー６０及びインスタントフィルム１０の素材及び／または厚さに応じて設定することができる。
【００６８】
例２のように搬送速度を制御することで、例１と同様にフィルムカバー６０及びインスタントフィルム１０をキャプスタンローラ３５及びピンチローラ３９に確実に食い込ませて、搬送不良及び排出不良を防止して安定的に搬送することができ、一方受け渡し後は高速で搬送することにより、短時間で排出することができる。
【００６９】
例１及び例２において、各区間（受け渡し前、受け渡し中、及び受け渡し後）での搬送速度は一定でなく変化させてもよい。例えば、受け渡しの前に減速して受け渡し後に加速してもよい。
【００７０】
以上説明したように、第１の実施形態に係るプリンタ３００及びフィルム搬送方法によれば、フィルムカバー６０及びインスタントフィルム１０を高速かつ安定的に排出することができる。
【００７１】
＜第２の実施形態＞
次に、本発明の第２の実施形態について説明する。図１５は第２の実施形態に係るプリンタ付きカメラ５００（フィルム搬送装置、プリンタ、プリンタ付き撮像装置）を正面側から見た外観斜視図である。プリンタ付きカメラ５００では、ユーザの操作に応じて被写体の画像を撮影し、インスタントフィルム１０に印画することができる。
【００７２】
第１の実施形態に係るプリンタ３００（図２参照）と同様に、プリンタ付きカメラ５００には装填室５１５（収納部）が設けられてフィルムパックが装填され、装填室５１５は開閉式の蓋部材５０９で閉じられる。フィルムパックとしては第１の実施形態に係るプリンタ３００と同じインスタントフィルムパック１が用いられ、インスタントフィルムパック１が装填されて蓋部材５０９が閉じられると、蓋部材５０９に設けられた押し上げ部材５２０が押し上げ部材挿入部３３に挿入されて遮光シート５０（図３参照）を前面側（押し上げ部材挿入部３３の開口面と反対側）に押し上げ、インスタントフィルム１０をケース２０の内面に押し当てる。なお、以降の説明においてプリンタ３００と同じ構成要素には同一の参照符号を付し、詳細な説明を省略する。
【００７３】
＜カメラ本体＞
図１５に示すように、カメラ本体５０３の前面には、対物用ファインダ窓５０４及びズーム機能付きの撮影レンズ５０５が露呈されている。カメラ本体５０３の上面にはフィルム排出口５１０（図中点線）及びレリーズボタン５０６が設けられており、通常は排出口用の蓋５１１によって塞がれている。
【００７４】
＜プリンタ付きカメラの構成＞
図１６はプリンタ付きカメラ５００の構成を示すブロック図である。撮影レンズ５０５の背後には撮像素子５７５が配置されており、撮影レンズ５０５により撮像素子５７５の結像面に被写体の光学像が結像される。撮像素子５７５は撮像素子ドライバ５７６により駆動され、光学像を電気的な撮像信号に変換して出力する。撮像素子５７５としては、ＣＣＤ（Charge Coupled Device）型及びＣＭＯＳ（Complementary Metal-Oxide Semiconductor）型の撮像素子を用いることができる。
【００７５】
撮像素子５７５の結像面の前面には赤色、緑色、及び青色のカラーフィルタがマトリクス状に配列され、色ごとに出力される撮像信号はアンプ５７７で増幅された後、Ａ／Ｄ（Analog to Digital）コンバータ５７８によってデジタル変換される。Ａ／Ｄコンバータ５７８は撮像信号をデジタル変換して画像データを生成し、これを画像データ処理回路５７９に入力する。なお第１の実施形態について上述したのと同様に、画像データと合わせてテンプレートのデータを画像データ処理回路５７９に入力し、インスタントフィルム１０に印画してもよい。撮影レンズ５０５，撮像素子５７５，撮像素子ドライバ５７６，Ａ／Ｄコンバータ５７８，及び画像データ処理回路５７９は撮像部（画像データ入力部）の構成要素である。
【００７６】
画像データ処理回路５７９は、入力された画像データに対してホワイトバランス調節、ガンマ補正などの信号処理を行い、Ｄ／Ａ（Digital to Analog）コンバータ５８０及びアンプ５８１を介して映像信号用の出力端子５８２に出力するとともに、ＬＣＤ（Liquid Crystal Display）ドライバ５５４を介してＬＣＤパネル５３２に表示させる。また、画像データ処理回路５７９が出力する画像データは、第１の実施形態に係るプリンタ３００と同様に、システムコントローラ４５の制御により露光ヘッド２５等を用いてインスタントフィルム１０に印画される。
【００７７】
＜フィルムカバー及びインスタントフィルムの搬送＞
第２の実施形態に係るプリンタ付きカメラ５００において、搬送機構等の搬送部、搬送制御部、印画制御部等の構成は第１の実施形態に係るプリンタ３００と同様であり、図１６においても同一の名称及び符号を付している（詳細な説明は省略）。また、具体的な搬送制御、搬送速度の制御、及びプリント処理についても、第１の実施形態について説明した例１及び例２（図１０乃至図１４を参照）と同様に行うことができる。これにより第２の実施形態に係るプリンタ付きカメラ５００及びフィルム搬送方法においても、第１の実施形態と同様にフィルムカバー６０及びインスタントフィルム１０高速かつ安定的に排出することができる。
【００７８】
以上で本発明の実施形態に関して説明してきたが、本発明は上述した実施形態に限定されず、本発明の精神を逸脱しない範囲で種々の変形が可能である。
【符号の説明】
【００７９】
１      インスタントフィルムパック
１０    インスタントフィルム
１０ａ  露光面
１０ｂ  観察面
１２    露光部
１４    ポッド部
１４ａ  現像処理液ポッド
１６    トラップ部
１６ａ  吸収材
１８    観察部
２０    ケース
２２    ケース本体
２２ａ  正面部分
２２ｃ  底面部
２４    ケース蓋
２５    露光ヘッド
２６    露光開口部
２７    フィルム検出センサ
２８    排出口
２９    ケースフラップ材
３０    ＤＣモータ
３１    フィルム支持部
３２    クロー開口部
３２ａ  入口部
３２ｂ  通路部
３３    押し上げ部材挿入部
３４    キャプスタンローラ駆動部
３５    キャプスタンローラ
３５ａ  ローラ
３５ｂ  ローラ
３５ｃ  突起
３６    ロータリーエンコーダ
３７    スリット円盤
３７ａ  スリット
３８    パルスジェネレータ
３９    ピンチローラ
４０    展開ローラ
４０ａ  ローラ
４０ｂ  ローラ
４１    展開ローラ駆動部
４２    遮光シート取付部
４５    システムコントローラ
４６    モータドライバ
４７    露光制御部
４７ａ  濃度補正回路
４８    ラインメモリ
５０    遮光シート
５１    パルス検出回路
５３    第１遮光シート
５３ｂ  固定部
５４    第２遮光シート
６０    フィルムカバー
６２    切欠き部
６４    フィルムカバースカート材
７１    クロー駆動部
７２    クロー部材
７３    露光ヘッド駆動部
７５    無線通信部
１００  プリントシステム
２００  スマートフォン
３００  プリンタ
３０２  蓋部材
３０４  押し上げ部材
３１１  フィルム排出口
３１５  装填室
５００  プリンタ付きカメラ
５０３  カメラ本体
５０４  対物用ファインダ窓
５０５  撮影レンズ
５０６  レリーズボタン
５０９  蓋部材
５１０  フィルム排出口
５１１  蓋
５１５  装填室
５２０  押し上げ部材
５３２  ＬＣＤパネル
５５４  ドライバ
５７５  撮像素子
５７６  撮像素子ドライバ
５７７  アンプ
５７８  Ａ／Ｄコンバータ
５７９  画像データ処理回路
５８０  Ｄ／Ａコンバータ
５８１  アンプ
５８２  出力端子
Ｆ      搬送方向
Ｖ      搬送速度
ｘ      位置
【図１】
2019147631.tif 000003
【図２】
2019147631.tif 000004
【図３】
2019147631.tif 000005
【図４】
2019147631.tif 000006
【図５】
2019147631.tif 000007
【図６】
2019147631.tif 000008
【図７】
2019147631.tif 000009
【図８】
2019147631.tif 000010
【図９】
2019147631.tif 000011
【図１０】
2019147631.tif 000012
【図１１】
2019147631.tif 000013
【図１２】
2019147631.tif 000014
【図１３】
2019147631.tif 000015
【図１４】
2019147631.tif 000016
【図１５】
2019147631.tif 000017
【図１６】
2019147631.tif 000018